(57)【特許請求の範囲】
【請求項１】
予め設定された量の部分記録情報を含む情報単位を予め設定された所定数だけ含んで構成される情報ブロックを複数個含んで構成される記録情報を記録すべき記録媒体であって、前記部分記録情報が記録されるべき領域毎に同期信号が予め記録されていると共に、当該領域に対応する位置情報が記録されている記録媒体に対して、少なくとも前記同期信号に基づいて前記記録情報を記録する際の誤記録の発生状況を検出する誤記録検出方法であって、
前記記録媒体から、前記同期信号と、各前記位置情報のうち各前記情報ブロックが記録されるべきタイミングに夫々相当する位置情報と、を夫々検出する検出工程と、
前記検出された同期信号に基づいて、当該同期信号が検出されたタイミングを示す同期タイミング信号を生成する同期タイミング信号生成工程と、
前記検出された位置情報に基づいて、前記情報ブロックが記録されるべきタイミングを示す位置タイミング信号を生成する位置タイミング信号生成工程と、
前記生成された位置タイミング信号及び前記同期タイミング信号に基づいて、連続する二つの前記位置タイミング信号が生成される間に生成される前記同期タイミング信号の数であるタイミング信号数を計数する計数工程と、
前記計数されたタイミング信号数と前記所定数との関係に基づいて、前記誤記録の発生状況を推測するための状況信号を生成する状況信号生成工程と、
を備えることを特徴とする誤記録検出方法。
【請求項２】
請求項１に記載の誤記録検出方法において、
前記状況信号は、誤記録の有無を推測するための状況信号であり、
前記状況信号生成工程において、前記タイミング信号数と前記所定数が異なっているとき、一の前記情報ブロックが記録される領域内において前記誤記録の可能性があることを示す前記状況信号を生成することを特徴とする誤記録検出方法。
【請求項３】
請求項１又は２に記載の誤記録検出方法において、
前記記録媒体は、ＤＶＤ−Ｒであると共に、
前記情報単位はレコーディングセクタであり、
前記情報ブロックはＥＣＣブロックであることを特徴とする誤記録検出方法。
【請求項４】
請求項１から３のいずれか一項に記載の誤記録検出方法と、
前記状況信号に基づいた修正処理を行い、前記記録情報を前記記録媒体に記録する記録工程と、
を備えることを特徴とする情報記録方法。
【請求項５】
予め設定された量の部分記録情報を含む情報単位を予め設定された所定数だけ含んで構成される情報ブロックを複数個含んで構成される記録情報を記録すべき記録媒体であって、前記部分記録情報が記録されるべき領域毎に同期信号が予め記録されていると共に、当該領域に対応する位置情報が記録されている記録媒体に対して、少なくとも前記同期信号に基づいて前記記録情報を記録する際の誤記録の発生状況を検出する誤記録検出装置であって、
前記記録媒体から、前記同期信号と、各前記位置情報のうち各前記情報ブロックが記録されるべきタイミングに夫々相当する位置情報と、を夫々検出する検出する検出手段と、
前記検出された同期信号に基づいて、当該同期信号が検出されたタイミングを示す同期タイミング信号を生成する同期タイミング信号生成手段と、
前記検出された位置情報に基づいて、前記情報ブロックが記録されるべきタイミングを示す位置タイミング信号を生成する位置タイミング信号生成手段と、
前記生成された位置タイミング信号及び前記同期タイミング信号に基づいて、連続する二つの前記位置タイミング信号が生成される間に生成される前記同期タイミング信号の数であるタイミング信号数を計数する計数手段と、
前記計数されたタイミング信号数と前記所定数との関係に基づいて、前記誤記録の発生状況を推測するための状況信号を生成する状況信号生成手段と、
を備えることを特徴とする誤記録検出装置。
【請求項６】
請求項５に記載の誤記録検出装置において、
前記状況信号は、誤記録の有無を推測するための状況信号であり、
前記状況信号生成手段は、前記タイミング信号数と前記所定数が異なっているとき、一の前記情報ブロックが記録される領域内において前記誤記録の可能性があることを示す前記状況信号を生成することを特徴とする誤記録検出装置。
【請求項７】
請求項５又は６に記載の誤記録検出装置において、
前記記録媒体は、ＤＶＤ−Ｒであると共に、
前記情報単位はレコーディングセクタであり、
前記情報ブロックはＥＣＣブロックであることを特徴とする誤記録検出装置。
【請求項８】
請求項５から７のいずれか一項に記載の誤記録検出装置と、
前記状況信号に基づいた修正処理を行い、前記記録情報を前記記録媒体に記録する記録手段と、
を備えることを特徴とする情報記録装置。
【発明の詳細な説明】
【０００１】
【発明の属する技術分野】
本発明は、光ディスク等の記録媒体に対する記録情報の記録の際の誤記録（すなわち、本来記録すべき情報と異なった情報が記録されること。）を未然に検出する誤記録検出装置及び誤記録検出方法並びに当該誤記録検出装置を備えた情報記録装置及び情報記録方法の技術分野に属する。
【０００２】
【従来の技術】
上記光ディスク等の記録媒体に対して記録情報を記録する際には、記録情報の内容に正確に対応した大きさの記録ピット等を形成するために、通常、記録媒体の移動速度に同期した記録クロック信号を用いて記録情報を記録する。
【０００３】
ここで、従来一般的だった記録可能な光ディスクであるＣＤ−Ｒ（Compact  Disk−Recordable）に対して記録情報を記録する場合には、当該ＣＤ−Ｒを回転制御する際の基準周波数をその周波数とする記録クロック信号を水晶発振器等により構成されるクロック信号発生器から出力させ、当該記録クロック信号を用いて記録情報の記録を行っていた。
【０００４】
一方、近年、上記ＣＤ−Ｒよりも記録密度を約７倍に向上させたＤＶＤ−Ｒ（ＤＶＤ−Recordable）の開発が盛んであるが、このＤＶＤ−Ｒでは、その記録密度の高さゆえに、当該ＤＶＤ−Ｒ上における記録位置の精度をＣＤ−Ｒの場合よりも向上させて記録する必要がある。
【０００５】
ここで、従来のように水晶発振器等により構成されるクロック信号発生器により生成されるクロック信号をＤＶＤ−Ｒにおける記録の際の記録クロック信号とする構成では、ＤＶＤ−Ｒの回転に何らかの外乱が侵入して当該回転状態が乱れると、当該外乱の影響が排除されるまでの間は、ＤＶＤ−Ｒの回転速度と記録クロック信号の周波数とが同期しなくなり、結果として正確な記録動作が実行されないという問題点が生じることとなる。
【０００６】
このため、ＤＶＤ−Ｒに記録情報を記録するための情報記録装置においては、ＤＶＤ−Ｒに予め（記録情報が何ら記録されていない状態で）記録されている同期信号を検出し、当該検出した同期信号に基づいて上記記録クロック信号を生成する構成とし、外乱によってＤＶＤ−Ｒの回転が定常速度からずれたとしても当該ずれに合わせて記録クロック信号の周波数もずらすことにより、当該ＤＶＤ−Ｒの回転に常に同期した周波数を有する記録クロック信号を生成している。
【０００７】
【発明が解決しようとする課題】
しかしながら、上記のような情報記録装置の構成では、ＤＶＤ−Ｒ上の欠陥（傷や指紋等）等により当該同期信号が正確に検出できないと、記録クロック信号の生成処理が乱れることとなり、その後の記録情報が正確に記録できなくなる場合があるという問題点が生じる。
【０００８】
そこで、本発明は、上記の問題点に鑑みてなされたもので、光ディスクから同期信号が検出できないことに起因して光ディスクの回転速度と記録クロック信号の周波数とが非同期となったことを未然に検出し、誤記録がなされる可能性を予め察知してその対策を講じることが可能な誤記録検出方法及び装置並びに当該誤記録検出処理を含む情報記録方法及び装置を提供することにある。
【０００９】
【課題を解決するための手段】
上記の課題を解決するために、請求項１に記載の発明は、予め設定された量の部分記録情報を含むレコーディングセクタ等の情報単位を予め設定された所定数だけ含んで構成されるＥＣＣ(Error Correcting Code)ブロック等の情報ブロックを複数個含んで構成されるＤＶＤ−Ｒ等の記録情報を記録すべき記録媒体であって、前記部分記録情報が記録されるべき領域毎に同期信号が予め記録されていると共に、当該領域に対応する位置情報が記録されている記録媒体に対して、少なくとも前記同期信号に基づいて前記記録情報を記録する際の誤記録の発生状況を検出する誤記録検出方法であって、前記記録媒体から、前記同期信号と、各前記位置情報のうち各前記情報ブロックが記録されるべきタイミングに夫々相当する位置情報と、を夫々検出する検出工程と、前記検出された同期信号に基づいて、当該同期信号が検出されたタイミングを示す同期タイミング信号を生成する同期タイミング信号生成工程と、前記検出された位置情報に基づいて、前記情報ブロックが記録されるべきタイミングを示す位置タイミング信号を生成する位置タイミング信号生成工程と、前記生成された位置タイミング信号及び前記同期タイミング信号に基づいて、連続する二つの前記位置タイミング信号が生成される間に生成される前記同期タイミング信号の数であるタイミング信号数を計数する計数工程と、前記計数されたタイミング信号数と前記所定数との関係に基づいて、前記誤記録の発生状況を推測するための状況信号を生成する状況信号生成工程と、を備える。
【００１０】
上記の課題を解決するために、請求項５に記載の発明は、予め設定された量の部分記録情報を含むレコーディングセクタ等の情報単位を予め設定された所定数だけ含んで構成されるＥＣＣ(Error Correcting Code)ブロック等の情報ブロックを複数個含んで構成される記録情報を記録すべきＤＶＤ−Ｒ等の記録媒体であって、前記部分記録情報が記録されるべき領域毎に同期信号が予め記録されていると共に、当該領域に対応する位置情報が記録されている記録媒体に対して、少なくとも前記同期信号に基づいて前記記録情報を記録する際の誤記録の発生状況を検出する誤記録検出装置であって、前記記録媒体から、前記同期信号と、各前記位置情報のうち各前記情報ブロックが記録されるべきタイミングに夫々相当する位置情報と、を夫々検出する検出するピックアップ等の検出手段と、前記検出された同期信号に基づいて、当該同期信号が検出されたタイミングを示す同期タイミング信号を生成するタイミングジェネレータ等の同期タイミング信号生成手段と、前記検出された位置情報に基づいて、前記情報ブロックが記録されるべきタイミングを示す位置タイミング信号を生成するプリピットデコーダ等の位置タイミング信号生成手段と、前記生成された位置タイミング信号及び前記同期タイミング信号に基づいて、連続する二つの前記位置タイミング信号が生成される間に生成される前記同期タイミング信号の数であるタイミング信号数を計数する計数回路等の計数手段と、前記計数されたタイミング信号数と前記所定数との関係に基づいて、前記誤記録の発生状況を推測するための状況信号を生成する比較回路等の状況信号生成手段と、を備える。
【００３９】
【発明の実施の形態】
次に本発明に好適な実施の形態について、図面に基づいて説明する。なお、以下に説明する実施の形態は、記録情報を記録すべきディスク上の位置を示すアドレス情報がプリ情報としてプリピットを形成して記録されている共に、記録時におけるディスクの回転数を制御するための上記同期信号が記録されている記録媒体としてのＤＶＤ−Ｒに対して情報を記録するための情報記録装置について本発明を適用した実施形態である。
【００４０】
（Ｉ）ＤＶＤ−Ｒの実施形態
初めに、上記プリ情報に対応したプリピットを形成すると共に後述のグルーブトラックを所定の周波数でウォブリングさせて上記同期信号を記録した記録媒体としてのＤＶＤ−Ｒの実施形態について図１及び図２を用いて説明する。
【００４１】
先ず、図１を用いて本実施形態のＤＶＤ−Ｒの構造について説明する。
【００４２】
図１において、ＤＶＤ−Ｒ１は色素膜５を備えた一回のみ情報の書込みが可能な色素型ＤＶＤ−Ｒであり、記録情報が記録されるべきトラックであるグルーブトラック２と当該グルーブトラック２に再生光又は記録光としてのレーザビーム等の光ビームＢを誘導するためのランドトラック３とが形成されている。また、それらを保護するための保護膜７及び記録された情報を再生する際に光ビームＢを反射するための金蒸着面６を備えている。そして、このランドトラック３にプリ情報に対応するプリピット４が形成されている。このプリピット４はＤＶＤ−Ｒ１を出荷する前に予め形成されているものである。
【００４３】
更に、当該ＤＶＤ−Ｒ１においては、グルーブトラック２を当該ＤＶＤ−Ｒ１の回転速度に対応する周波数でウォブリングさせている。このグルーブトラック２のウォブリングによる回転制御のための同期信号の記録は、上記プリピット４と同様に、ＤＶＤ−Ｒ１を出荷する前に予め実行されるものである。そして、ＤＶＤ−Ｒ１に記録情報（プリ情報及び同期信号以外の本来記録すべき画像情報等の情報をいう。以下同じ。）を記録する際には、後述の情報記録装置においてグル−ブトラック２のウォブリングの周波数を検出することにより同期信号を取得してＤＶＤ−Ｒ１を所定の回転速度で回転制御すると共に、プリピット４を検出することにより予めプリ情報を取得し、それに基づいて記録光としての光ビ−ムＢの最適出力等が設定されると共に、記録情報を記録すべきＤＶＤ−Ｒ１上の位置であるアドレス情報等が取得され、このアドレス情報に基づいて記録情報が対応する記録位置に記録される。
【００４４】
ここで、記録情報の記録時には、光ビームＢをその中心がグルーブトラック２の中心と一致するように照射してグルーブトラック２上に記録情報に対応する記録情報ピットを形成することにより記録情報を形成する。この時、光スポットＳＰの大きさは、図１に示すように、その一部がグルーブトラック２だけでなくランドトラック３にも照射されるように設定される。そして、このランドトラック３に照射された光スポットＳＰの一部の反射光を用いてプッシュプル法（ＤＶＤ−Ｒ１の回転方向に平行な分割線により分割された光検出器を用いたラジアルプッシュプル法）によりプリピット４からプリ情報を検出して当該プリ情報が取得されると共に、グルーブトラック２に照射されている光スポットＳＰの反射光を用いてグルーブトラック２からウォブリング信号が検出されて回転制御用のクロック信号が取得される。
【００４５】
次に、本実施形態のＤＶＤ−Ｒ１に予め記録されているプリ情報及び回転制御情報の記録フォーマットについて、図２を用いで説明する。なお、図２において、上段は記録情報における記録フォーマットを示し、下段の波型波形は当該記録情報を記録するグルーブトラック２のウォブリング状態（グルーブトラック２の平面図）を示し、記録情報とグルーブトラック２のウォブリング状態の間の上向き矢印は、プリピット４が形成される位置を模式的に示すものである。ここで、図２においては、グルーブトラック２のウォブリング状態は、理解の容易のため実際の振幅よりも大きい振幅を用いて示してあり、記録情報は当該グルーブトラック２の中心線上に記録される。
【００４６】
図２に示すように、本実施形態においてＤＶＤ−Ｒ１に記録される記録情報は、予めシンクフレーム毎に分割されている。そして、２６のシンクフレームにより情報単位としての一のレコーディングセクタが形成され、更に、１６のレコ−ディングセクタにより情報ブロックとしての一のＥＣＣブロックが形成される。なお、一のシンクフレームは、上記記録情報を記録する際の記録フォーマットにより規定されるビット間隔に対応する単位長さ（以下、Ｔという。）の１４８８倍（１４８８Ｔ）の長さを有しており、更に、一のシンクフレームの先頭の１４Ｔの長さの部分にはシンクフレ−ム毎の同期を取るための同期情報ＳＹが記録される。
【００４７】
一方、本実施形態においてＤＶＤ−Ｒ１に記録されるプリ情報は、シンクフレーム毎に記録される。ここで、プリピット４によるプリ情報の記録においては、記録情報における夫々のシンクフレームにおける同期情報ＳＹが記録される領域に隣接するランドトラック３上にプリ情報における同期信号を示すものとして必ず一のプリピット４が形成されると共に、当該同期情報ＳＹ以外の当該シンクフレーム内の前半部分に隣接するランドトラック３上に記録すべきプリ惰報の内容（アドレス情報）を示すものとして二又は一のプリピット４が形成される（なお、同期情報ＳＹ以外の当該シンクフレーム内の前半部分については、記録すべきプリ情報の内容によってはプリピット４が形成されない場合もある。また、一のレコーディングセクタの先頭のシンクフレームでは、その前半部分に必ず三つのプリピット４が連続して形成される。）。この際、本実施形態においては、一のレコ−ディングセクタにおいては、偶数番目のシンクフレーム（以下、ＥＶＥＮフレームという。）のみ又は奇数番目のシンクフレーム（以下、ＯＤＤフレームという。）のみにプリピット４が形成されてプリ情報が記録される。すなわち、図２において、ＥＶＥＮフレームにプリピット４が形成された場合には（図２において実線上向き矢印で示す。）それに隣接するＯＤＤフレームにはプリピット４は形成されない。
【００４８】
更に、グルーブトラック２のウォブリングとプリピット４の位置の関係については、当該ウォブリングにおける最大振幅の位置にプリピット４が形成されている。
【００４９】
一方、グルーブトラック２は、全てのシンクフレームに渡って１４０ｋＨｚ（一のシンクフレームがグルーブトラック２の変動波形の８波分に相当する周波数）の一定ウォブリング周波数ｆ0でウォブリングされている。そして、後述の情報記録装置において、当該一定のウォブリング周波数ｆ0を検出することでＤＶＤ−Ｒ１を回転させるためのスピンドルモータの回転制御のための同期信号が検出される。
【００５０】
（II）情報記録装置の実施形態
次に、上述した構成を有するＤＶＤ−Ｒ１に対して記録情報を記録するための本発明に係る情報記録装置の実施形態について、図３乃至図１０を用いて説明する。
【００５１】
始めに、実施形態に係る情報記録装置の全体構成について、図３を用いて説明する。
【００５２】
図３に示すように、実施形態の情報記録装置Ｓは、検出手段及び記録手段としてのピックアップ１０と、検出手段としてのプリピット検出部１１と、同期タイミング信号生成手段としてのタイミングジェネレータ１２と、誤記録検出部１３と、ＣＰＵ１４と、ＤＶＤエンコーダ１５と、ストラテジ回路１６と、位置タイミング信号生成部としてのプリピットデコーダ１７と、ウォブル検出部１８と、スピンドルモータ１９と、分周器３５と、位相変調部ＥＰと、ウォブルＰＬＬ（Phase  Locked  Loop）部ＷＰと、スピンドル制御部ＳＰと、により構成されている。
【００５３】
また、位相変調部ＥＰは、分周器２０及び２４と、位相比較部２１及び２５と、イコライザ２２及び２６と、位相シフタ２３と、ＶＣＯ（Voltage  Controlled  Oscillator）２７とにより構成されている。
【００５４】
更に、ウォブルＰＬＬ部ＷＰは、分周器３０及び３１と、位相比較部３２と、イコライザ３３と、ＶＣＯ３４とにより構成されている。
【００５５】
更にまた、スピンドル制御部ＳＰは、参照信号発生部４０と、分周器４１と、位相比較部４２と、イコライザ４３とにより構成されている。
【００５６】
次に、全体動作を説明する。
【００５７】
ＤＶＤ−Ｒ１に記録すべき記録情報としての記録データＳrは、外部から入力され、ＤＶＤエンコーダ１５において後述するクロック信号Ｓck及びセクタシンク信号Ｓssに基づいて８／１６変調されて変調信号Ｓecとしてストラテジ回路１６に出力される。そして、当該ストラテジ回路１６において、後述するクロック信号Ｓckに基づいてＤＶＤ−Ｒ１上に形成される記録ピットの形状を調整するために波形変換され、記録信号Ｓrrとしてピックアップ１０に出力される。
【００５８】
その後、当該ピックアップ１０は、記録信号Ｓrrにより強度変調された光ビームＢを記録データＳrに対応する記録情報ピットを形成すべきグルーブトラック２上に照射し、記録を行う。
【００５９】
一方、当該ピックアップ１０は、記録データＳrに対応する記録ピットの形成に先立ち、光ビームＢをＤＶＤ−Ｒ１に照射し（図１参照）、上記プリピット４及びグルーブトラック２のウォブリングにより変調された当該光ビームＢの反射光を受光して、上記プリピット４及びグルーブトラック２のウォブリングの情報を含む検出信号Ｓｐを生成し、プリピット検出部１１及びウォブル検出部１８へ出力する。
【００６０】
次に、プリピット検出部１１は、検出信号Ｓｐに含まれるプリピット４に対応するプリピット信号Ｓppを上記ラジアルプッシュプル法により抽出し、当該プリピット信号Ｓppをタイミングジェネレータ１２及びプリピットデコーダ１７並びに位相変調部ＥＰ内の位相比較部２１へ出力する。
【００６１】
そして、プリピットデコータ１７は、入力されたプリピット信号Ｓppを後述するクロック信号Ｓclに基づいてデコードし、一つのＥＣＣブロックを記録すべき領域を示す位置タイミング信号としてのアドレス信号Ｓatを生成し、誤記録検出部１３に出力する。
【００６２】
一方、タイミングジェネレータ１２は、入力されたプリピット信号Ｓppを用いて、後述するウォブリング信号Ｓｗ及びクロック信号Ｓckに基づき、一つのレコーディングセクタを記録すべき領域が検出されたタイミングを示す同期タイミング信号としてのセクタシンク信号Ｓssを生成し、ＤＶＤエンコーダ１５及び誤記録検出部１３に出力する。
【００６３】
これらにより、誤記録検出部１３は、各ＥＣＣブロックが記録されるべきタイミング（期間）毎に、当該ＥＣＣブロック内に含まれるべき記録データＳrが誤記録される可能性の有無を示す状況信号としてのエラー検出信号Ｓerを生成し、ＣＰＵ１４に出力する。その後、当該ＣＰＵ１４は、エラー検出信号Ｓerが生成されたタイミングに対応して記録すべきＥＣＣブロックについては、そのまま記録すると誤記録となる可能性が高いとして、当該ＥＣＣブロックが記録されるべきＤＶＤ−Ｒ１上の領域については記録を行わず、当該誤記録が含まれる可能性のあるＥＣＣブロックの次のＥＣＣブロックに含まれるべき記録データＳrから正常な記録を再開するように上記ＤＶＤエンコーダ１５及びストラテジ回路１６を制御して記録データＳrの記録を行う。
【００６４】
一方、検出信号Ｓｐが入力されているウォブル検出部１８は、当該検出信号Ｓｐからグルーブトラック２のウォブリングに対応するウォブル検出信号Ｓwpを生成し、ウォブルＰＬＬ部ＷＰ内の分周器３０並びにスピンドル制御部ＳＰ内の分周器４１及び位相比較部４２へ出力する。
【００６５】
そして、ウォブル検出信号Ｓwpが入力されるウォブルＰＬＬ部ＷＰは、当該ウォブル検出信号Ｓwpに基づいて、グルーブトラック２のウォブリング周波数に同期した周波数を有するクロック信号Ｓclを生成し、分周器３５及びプリピットデコーダ１７に出力すると共に、再度フィードバックのために分周器３１に出力する。このため、ウォブルＰＬＬ部ＷＰでは、位相比較部３２によりウォブル検出信号Ｓwpを分周器３０により分周した信号とクロック信号Ｓclを分周器３１により分周した信号とを位相比較し、その比較結果をイコライザ３３にて周波数補正した信号を用いてＶＣＯ３４を駆動し、上記クロック信号Ｓclを生成している。
【００６６】
また、分周器３５は、上記クロック信号Ｓclを再度分周し、上記ウォブリング周波数に対応するウォブリング信号Ｓwを生成して上記タイミングジェネレータ１２に出力する。
【００６７】
更に、上記プリピット信号Ｓpp及びクロック信号Ｓclが入力されている位相変調部ＥＰは、それらの信号に基づいて記録データＳｒの記録時における基準クロックとなる上記クロック信号Ｓck（その周期は上記Ｔ）を生成し、上記ＤＶＤエンコーダ１５及びストラテジ回路１６に出力すると共に、再度フィードバックのために分周器２４に出力する。このため、位相変調部ＥＰでは、始めに、位相比較部３２によりクロック信号Ｓclを分周器２０により分周した信号とプリピット信号Ｓppとを位相比較し、次にその比較結果をイコライザ２２にて周波数補正した信号を用いてクロック信号Ｓclを分周器２０により分周した信号の位相を位相シフタ３３によりシフトさせ、当該位相シフトした信号とクロック信号Ｓckを分周器２４により分周した信号とを再度位相比較部２５により位相比較し、最後にその比較結果をイコライザ２６にて周波数補正した信号を用いてＶＣＯ２７を駆動して上記クロック信号Ｓckを生成している。
【００６８】
一方、上記ウォブル検出信号Ｓwpが入力されるスピンドル制御部ＳＰは、当該ウォブル検出信号Ｓwpに基づいてスピンドルモータ１９の回転数を制御して駆動するための駆動信号Ｓdを生成し、当該スピンドルモータ１９に出力する。このため、スピンドル制御部ＳＰでは、参照信号発生部４０から出力されるスピンドルモータ１９の駆動のための基準信号と上記ウォブル検出信号Ｓwpとを加算した信号を分周器４１にて分周し、その分周結果とウォブル検出信号Ｓwpとを位相比較部４２にて位相比較し、その比較結果の周波数特性をイコライザ４３により補正して上記駆動信号Ｓdを生成している。
【００６９】
次に、本発明に係るタイミングジェネレータ１２の構成及び動作について、図４乃至図９を用いて説明する。
【００７０】
始めに、タイミングジェネレータ１２の構成について、図４（ａ）を用いて説明する。
【００７１】
図４（ａ）に示すように、タイミングジェネレータ１２は、プリピット信号Ｓpp、ウォブリング信号Ｓw及びクロック信号Ｓckを用いて、当該プリピット信号Ｓppから同期信号に相当するプリピット信号Ｓppを検出し、検出シンク信号Ｓpsを出力するシンク検出器４５と、検出シンク信号Ｓps及びクロック信号Ｓckに基づいて、当該検出シンク信号Ｓpsが入力されたタイミングで「ＨＩＧＨ」となるパルス信号である上記セクタシンク信号Ｓssを生成するシンク生成器４６とにより構成されている。
【００７２】
次に、タイミングジェネレータ１２の全体動作について、図４（ｂ）を用いて説明する。
【００７３】
シンク検出器４５に対して図４（ｂ）最上段に示すプリピット信号Ｓppが入力されると、当該シンク検出器４５は、当該プリピット信号Ｓppにおける一のレコーディングセクタの先頭を示す（すなわち、プリピット４が三つ連続して含まれている）同期信号としてのプリピット信号Ｓppを検出し、当該同期信号としてのプリピット信号Ｓppが検出されたことを示すパルス信号である検出シンク信号Ｓps（図４（ｂ）二段目）を生成する。
【００７４】
そして、シンク生成器４６は生成された検出シンク信号Ｓpsに基づいて一のレコーディングセクタが記録されるべき領域の先頭で正確に「ＨＩＧＨ」となるセクタシンク信号Ｓss（図４（ｂ）最下段）を生成する。
【００７５】
次に、シンク検出器４５の細部構成及び細部動作について、図５及び図６を用いて説明する。
【００７６】
図５に示すように、シンク検出器４５は、立上がりエッジ作成回路５０と、立下がりエッジ作成回路５１と、Ｄ型のフリップフロップ回路５２、５３、５４、５５及び５７と、アンド回路５６とにより構成されている。
【００７７】
次に、図６を用いてその動作を説明する。なお、シンク検出器４５においては、一のレコーディングセクタの先頭のシンクフレームに対応する同期信号としてのプリピット４が、グルーブトラック２のウォブリングにおける最大振幅の位置に連続して三つ形成されていることを利用して当該一のレコーディングセクタの先頭を示すプリピット４を検出し、検出シンク信号Ｓpsを生成している。
【００７８】
立上がりエッジ作成回路５０に入力されたウォブリング信号Ｓwは、当該立上がりエッジ作成回路５０によりその立上がりタイミングが検出され、立上がり信号Ｓ1としてフリップフロップ回路５２のクリア端子に出力される。また、これと並行して、立下がりエッジ作成回路５１に入力されたウォブリング信号Ｓwは、当該立下がりエッジ作成回路５１によりその立下がりタイミングが検出され、立下がり信号Ｓ2としてフリップフロップ回路５３乃至５５のクロック端子に出力される。
【００７９】
一方、プリピット信号Ｓppが入力されているフリップフロップ回路５２では、当該プリピット信号Ｓppが入力されたとき「ＨＩＧＨ」」となり、次の立上がり信号Ｓ1が入力されるまでの間「ＨＩＧＨ」を維持するので、結局、一のレコーディングセクタの先頭のタイミングでは、図６に示すような連続する三つのパルスを有するタイミング信号Ｓ3を生成する。
【００８０】
次に、タイミング信号Ｓ3が入力されているフリップフロップ回路５３では、クロック端子に入力されている立下がり信号Ｓ2が「ＬＯＷ」から「ＨＩＧＨ」となると共にタイミング信号Ｓ3が「ＨＩＧＨ」である最初のタイミングから、次に立下がり信号Ｓ2のみが「ＬＯＷ」から「ＨＩＧＨ」となるタイミングまでの間に「ＨＩＧＨ」を維持するタイミング信号Ｓ4を生成する。
【００８１】
次に、タイミング信号Ｓ4が入力されているフリップフロップ回路５４では、クロック端子に入力されている立下がり信号Ｓ2が「ＬＯＷ」から「ＨＩＧＨ」となると共にタイミング信号Ｓ4が「ＨＩＧＨ」である最初のタイミングから、次に立下がり信号Ｓ2のみが「ＬＯＷ」から「ＨＩＧＨ」となるタイミング（すなわち、タイミング信号Ｓ4が「ＨＩＧＨ」から「ＬＯＷ」に変わるタイミング）までの間に「ＨＩＧＨ」を維持するタイミング信号Ｓ5を生成する。このタイミング信号Ｓ5は、フリップフロップ回路５５に出力されると共にアンド回路５６の一方の端子にも出力されている。
【００８２】
そして、タイミング信号Ｓ5が入力されているフリップフロップ回路５５では、クロック端子に入力されている立下がり信号Ｓ2が「ＬＯＷ」から「ＨＩＧＨ」となると共にタイミング信号Ｓ5が「ＨＩＧＨ」である最初のタイミングから、次に立下がり信号Ｓ2のみが「ＬＯＷ」から「ＨＩＧＨ」となるタイミング（すなわち、タイミング信号Ｓ5及びＳ4が「ＨＩＧＨ」から「ＬＯＷ」に変わるタイミング）までの間に「ＨＩＧＨ」を維持するタイミング信号Ｓ6を生成する。このタイミング信号Ｓ6はアンド回路５６の他方の端子に出力されている。
【００８３】
そして、アンド回路５６において、タイミング信号Ｓ5とＳ6の論理積が算出され、タイミング信号Ｓ7が生成される。
【００８４】
図５に示す構成を有するシンク検出器４５では、三つの連続するプリピット４が検出されなければタイミング信号Ｓ7が生成されないこととなるので、結局、当該タイミング信号Ｓ7が「ＨＩＧＨ」であるときは、その直前に検出された三つのプリピット４が一のレコーディングセクタの先頭であることを示している。
【００８５】
そして、フリップフロップ回路５７においてタイミング信号Ｓ7とクロック信号Ｓckとの整合性が取られ、上記検出シンク信号Ｓpsが生成される。
【００８６】
次に、シンク生成器４６の細部構成及び細部動作について、図７乃至図９を用いて説明する。
【００８７】
図７に示すように、シンク生成器４６は、インバータ６０と、Ｄ型のフリップフロップ回路６１及び６６と、ｎ進カウンタ６２と、コンパレータ６３及び６４と、アンド回路６５と、により構成されている。
【００８８】
次に、図８及び図９を用いてその動作を説明する。なお、図９に示すタイミングチャートは、図８に示すタイミングチャートにおける破線で囲んだタイミングにおける各信号の波形を拡大表示したものである。
【００８９】
フリップフロップ回路６１のクロック端子には、インバータ６０により反転された検出シンク信号Ｓpsが入力されており、一方、クリア端子には各種サーボ制御回路が整定したことを示す信号であって、シンク生成器４６によるセクタシンク信号Ｓssの生成を許可する意味を有するイネーブル信号Ｓenが入力されている。したがって、フリップフロップ回路６１の出力であるタイミング信号Ｓ10としては、図８上から三段目に示すように、検出シンク信号Ｓpsが「ＨＩＧＨ」から「ＬＯＷ」に変わるタイミングにおいて「ＬＯＷ」から「ＨＩＧＨ」に変化する信号が出力される。
【００９０】
そして、クロック信号Ｓckが入力されているｎ進カウンタ６２は、タイミング信号Ｓ１０が「ＨＩＧＨ」となったタイミング（すなわち、検出シンク信号Ｓpsが「ＨＩＧＨ」から「ＬＯＷ」に変わるタイミング）でクリアされるまで当該クロック信号Ｓckに含まれるパルスを計数し続け、結果として、図８に示すような鋸歯状に変化する計数値を含む計数信号Ｓctを出力する。
【００９１】
次に、計数信号Ｓctが入力されるコンパレータ６３では、当該計数信号Ｓctの計数値と予め設定された設定値Ａに対応する設定値信号Ｓaとを常に比較し、当該計数値のほうが設定値Ａよりも大きくなったタイミングから次に計数信号Ｓctが初期化されるまで（すなわち、検出シンク信号Ｓpsが「ＨＩＧＨ」から「ＬＯＷ」に変わるまで）の間に「ＨＩＧＨ」となる比較信号Ｓc1を生成し、アンド回路６５の一方の入力端子に出力する。
【００９２】
ここで、設定値Ａは、図９に示すように、三つ連続するプリピット信号Ｓppのうちの先頭のパルスのタイミングに対応するウォブリング信号Ｓwのパルスが「ＨＩＧＨ」に変わるタイミングを示すものであり、より具体的には、計数信号Ｓctが初期化されてから（すなわち、計数値が「０」となってから）３８０３７Ｔ（一のレコーディングセクタに対応する期間からウォブリング周期の３．５倍を引いた値。すなわち、
【数１】
１４８８Ｔ（１シンクフレーム）×２６−１８６Ｔ×３−９３Ｔ
＝３８０３７Ｔ
であり、これは、検出シンク信号Ｓpsとレコーディングセクタの先頭のプリピット４の関係が図６に示す関係にあることによる。）だけ計数されたタイミングを示すものである。
【００９３】
一方、計数信号Ｓctが同様に入力されるコンパレータ６４では、当該計数信号Ｓctの計数値と予め設定された設定値Ｂに対応する設定値信号Ｓｂとを常に比較し、当該計数値のほうが設定値Ｂよりも大きくなったタイミングから次に計数信号Ｓctが初期化されるまでの間に「ＬＯＷ」となる比較信号Ｓc2を生成し、アンド回路６５の他方の入力端子に出力する。
【００９４】
ここで、設定値Ｂは、図９に示すように、三つ連続するプリピット信号Ｓppのうちの先頭のパルスのタイミングに対応するウォブリング信号Ｓwのパルスが「ＬＯＷ」に変わるタイミングを示すものであり、より具体的には、計数信号Ｓctが初期化されてから３８１３０Ｔ（一のレコーディングセクタに対応する期間からウォブリング周期の３倍を引いた値。すなわち、
【数２】
１４８８Ｔ（１シンクフレーム）×２６−１８６Ｔ×３
＝３８１３０Ｔ
であり、これは、設定値Ａと同様に検出シンク信号Ｓpsとレコーディングセクタの先頭のプリピット４の関係が図６に示す関係にあることによる。）だけ計数されたタイミングを示すものである。
【００９５】
そして、上記比較信号Ｓc1及びＳc2が入力されているアンド回路６５では、これらの論理積を演算し、積信号Ｓmを生成してフリップフロップ回路６６に出力する。
【００９６】
次に、フリップフロップ回路６６において積信号Ｓmとクロック信号Ｓckとの整合性が取られ、レコーディングセクタの先頭のタイミングを示す上記セクタシンク信号Ｓssが生成される。
【００９７】
なお、当該セクタシンク信号Ｓssについては、一度生成された後は、いわゆるフリーランカウンタ等を用いれば当該セクタシンク信号Ｓssを出力しつづけるように構成することができる。
【００９８】
次に、本発明に係る誤記録検出部１３の構成及び動作について、図１０を用いて説明する。
【００９９】
図１０（ａ）に示すように、誤記録検出部１３は、計数手段としての計数回路７０と状況信号生成手段としての比較回路７１とにより構成されている。
【０１００】
更に、計数回路７０は、カウンタ７２とＤ型のフリップフロップ回路７３とにより構成される。
【０１０１】
次に、図１０（ｂ）を用いて動作を説明する。
【０１０２】
カウンタ７２は、アドレス信号Ｓatにおけるパルス信号（上述のように、一のＥＣＣブロックの記録が開始されるタイミングで「ＨＩＧＨ」となる。）により初期化されつつセクタシンク信号Ｓssに含まれているパルス数を計数する。
【０１０３】
そして、フリップフロップ回路７３は、アドレス信号Ｓatにおけるパルス信号により初期化されつつカウンタ７２の出力値を一時的に記憶し、計数信号Ｓttとして比較回路７１に出力する。
【０１０４】
次に、比較回路７１は、出力されている計数信号Ｓttの計数値と所定数１６（すなわち、一のＥＣＣブロック内に含まれるべきレコーディングセクタの数を示す値）に対応する設定値信号Ｓcとを比較し、両者が一致していないとき上記エラー検出信号ＳerをＣＰＵ１４に出力する。これにより、ＣＰＵ１４は、ＥＣＣブロックが記録される領域のうち誤記録となる可能性の高い領域を認識し、その後、上述のようにエラー検出信号Ｓerが生成されたタイミングの直前に記録すべきＥＣＣブロックについては、当該ＥＣＣブロックが記録されるべきＤＶＤ−Ｒ１上の領域については記録を行わず、当該誤記録が含まれる可能性のあるＥＣＣブロックの次のＥＣＣブロックに含まれるべき記録データＳrから正常な記録を再開するように記録データＳrの記録を行う。
【０１０５】
以上説明したように、実施形態の情報記録装置Ｓの動作によれば、一のＥＣＣブロックが記録されるべき領域に対応する連続する二つのアドレス信号Ｓatに検出されたセクタシンク信号Ｓssの数により誤検出の可能性が推測されるので、正確に誤検出の可能性を推測できる。
【０１０６】
また、セクタシンク信号Ｓssのパルス数と一のＥＣＣブロック内に含まれるべきレコーディングセクタ数「１６」とが異なっているとき、一のＥＣＣブロックが記録される領域内において誤記録の可能性があることが認識できるので、セクタシンク信号Ｓssのパルス数と一のＥＣＣブロック内に含まれるべきレコーディングセクタ数とを比較するだけでＥＣＣブロック単位毎に誤検出の可能性の有無を把握できると共に、誤記録検出の処理を簡略化できる。
【０１０７】
更に、誤記録を未然に察知して修正しつつ記録情報を正確に記録することができる。
【０１０８】
なお、上述の実施形態においては、一のＥＣＣブロックに相当する領域内に記録されるレコーディングセクタの数を計数して所定数「１６」と比較するようにしたが、これ以外に、一のＥＣＣブロックに相当する領域内に記録されるシンクフレームの数を計数し、当該ＥＣＣブロック内に含まれるべきシンクフレームの数「４１６（＝２６×１６）」と比較し、これと異なっているとき誤記録であると認識するようにしてもよい。
【０１０９】
また、一のＥＣＣブロックに相当する領域内に記録される記録データＳrのデータ量（バイト数）を検出し、当該ＥＣＣブロック内に含まれるべきデータ量と比較し、これと異なっているとき誤記録であると認識するようにしてもよい。
【０１１０】
更に、一のＥＣＣブロックに相当する領域内に記録されるレコーディングセクタの周期（又はシンクフレームの周期若しくは情報量）をアナログ的に積算し、これと当該ＥＣＣブロック内に含まれるべきレコーディングセクタの数（又はシンクフレームの数若しくは情報量）と比較し、双方が異なっているとき誤記録であると認識するようにしてもよい。
【０１１１】
更にまた、上述の実施形態においては、レコーディングセクタの数を計数し、これと所定数「１６」を比較することにより、その異同から誤記録であるか否かのみを判定する構成としたが、この他に、計数値と上記所定数「１６」との差を具体的数値として求め、これと予め設定された所定の閾値（例えば、１６±３等）とを比較して、当該閾値の幅の範囲内の差であれば記録を許可し、当該閾値を超えて差があるときはそのＥＣＣブロックに対する記録データＳrの記録を行わないこととしてもよい。
【図面の簡単な説明】
【図１】ＤＶＤ−Ｒの構造例を示す斜視図である。
【図２】実施形態のＤＶＤ−Ｒにおける記録フォーマットを示す図である。
【図３】実施形態の情報記録装置の概要構成を示すブロック図である。
【図４】タイミングジェネレータの構成及び動作を示す図であり、（ａ）はタイミングジェネレータの構成を示すブロック図であり、（ｂ）はタイミングジェネレータの動作を示すタイミングチャートである。
【図５】シンク検出器の構成を示すブロック図である。
【図６】シンク検出器の動作を示すタイミングチャートである。
【図７】シンク生成器の構成を示すブロック図である。
【図８】シンク生成器の動作を示すタイミングチャート（Ｉ）である。
【図９】シンク生成器の動作を示すタイミングチャート（II）である。
【図１０】誤記録検出部の構成及び動作を示す図であり、（ａ）は誤記録検出部の構成を示すブロック図であり、（ｂ）は誤記録検出部の動作を示すタイミングチャートである。
【符号の説明】
１…ＤＶＤ−Ｒ
２…グルーブトラック
３…ランドトラック
４…プリピット
５…色素膜
６…金蒸着膜
７…保護膜
１０…ピックアップ
１１…プリピット検出部
１２…タイミングジェネレータ
１３…誤記録検出部
１４…ＣＰＵ
１５…ＤＶＤエンコーダ
１６…ストラテジ回路
１７…プリピットデコーダ
１８…ウォブル検出部
１９…スピンドルモータ
２０、２４、３０、３１、３５、４１…分周器
２１、２５、３２、４２…位相比較部
２２、２６、３３、４３…イコライザ
２３…位相シフタ
２７、３４…ＶＣＯ
４０…参照信号発生部
４５…シンク検出器
４６…シンク生成器
５０…立上がりエッジ作成回路
５１…立下がりエッジ作成回路
５２、５３、５４、５５、５７、６１、６６、７３…フリップフロップ回路
５６、６５、６７…アンド回路
６０…インバータ
６２…ｎ進カウンタ
６３、６４…コンパレータ
７０…計数回路
７１…比較回路
７２…カウンタ
ＥＰ…位相変調部
ＷＰ…ウォブルＰＬＬ部
ＳＰ…スピンドル制御部
Ｓ…情報記録装置
Ｂ…光ビーム
ＳＹ…同期情報
Ｓp…検出信号
Ｓpp…プリピット信号
Ｓr…記録データ
Ｓrr…記録信号
Ｓec…変調信号
Ｓwp…ウォブル検出信号
Ｓw…ウォブリング信号
Ｓat…アドレス信号
Ｓck、Ｓcl…クロック信号
Ｓss…セクタシンク信号
Ｓer…エラー検出信号
Ｓps…検出シンク信号
Ｓ1…立上がり信号
Ｓ2…立下がり信号
Ｓ3、Ｓ4、Ｓ5、Ｓ6、Ｓ7、Ｓ10…タイミング信号
Ｓen…イネーブル信号
Ｓct、Ｓtt…計数信号
Ｓc1、Ｓc2…比較信号
Ｓm…論理積信号
Ｓa、Ｓb、Ｓｃ…設定値信号
【図１】
0003830630.tif 000002
【図２】
0003830630.tif 000003
【図３】
0003830630.tif 000004
【図４】
0003830630.tif 000005
【図５】
0003830630.tif 000006
【図６】
0003830630.tif 000007
【図７】
0003830630.tif 000008
【図８】
0003830630.tif 000009
【図９】
0003830630.tif 000010
【図１０】
0003830630.tif 000011